(57)【要約】【課題】  従来の電子鍵盤楽器よりも小型化された電子鍵盤楽器を提供する。【解決手段】  電子ピアノ１は、コントロールパネル８が下端を支点に倒され、鍵盤蓋１５が収納部５０に対して収納される位置よりも上方で、収納部５０に収納されるよう構成されている。この電子ピアノ１では、鍵盤蓋１５が鍵盤７のみを覆うことができればよいので、従来の電子鍵盤楽器のようにコントロールパネルをも覆う大きさに形成された鍵盤蓋に比べ、鍵盤蓋１５を小さく構成することができ、その結果この鍵盤蓋１５を収納する収納部５０も小さく形成することができる。従って、電子ピアノ１は、従来の電子ピアノ１に比べ小さく構成することができる。【選択図】  図３
2005107106.tif 000002
【特許請求の範囲】
【請求項１】
鍵盤と、
該鍵盤の露出部分を保護可能な鍵盤蓋と、
前記鍵盤の露出部分の非演奏者側に配置され、演奏者側に操作部を対向させて配置可能なコントロールパネルと、
該コントロールパネルの非演奏者側に設けられ、前記鍵盤を覆っている前記鍵盤蓋を非演奏者側にスライドさせて収納可能な収納部と、
を有する電子鍵盤楽器であって、
前記コントロールパネルは、前記操作部が下方を向くように下端部を支点に演奏者側に倒すことができるよう構成され、
該倒されたコントロールパネルを、前記収納部に収納し、あるいは、前記鍵盤と共に前記鍵盤蓋で覆設可能に構成されていることを特徴とする電子鍵盤楽器。
【請求項２】
請求項１記載の電子鍵盤楽器において、
前記倒されたコントロールパネルを非演奏者側にスライドさせて前記収納部に収納可能に構成されていることを特徴とする電子鍵盤楽器。
【請求項３】
請求項１，２いずれか記載の電子鍵盤楽器において、
前記収納部は、前記鍵盤蓋を収納する収納孔より上方で、倒された前記コントロールパネルを収納可能に構成されていることを特徴とする電子鍵盤楽器。
【請求項４】
請求項１〜３いずれか記載の電子鍵盤楽器において、
前記鍵盤、前記鍵盤蓋、前記コントロールパネル、及び、前記収納部を備える本体部と、該本体部を支える脚部とを有することを特徴とする電子鍵盤楽器。
【発明の詳細な説明】
【技術分野】
【０００１】
本発明は、電子鍵盤楽器に関する。
【背景技術】
【０００２】
従来の電子ピアノ１００は、図４に示すように、本体部１１０と、この本体部１１０を支える図示しない脚部とを備えている。そして、本体部１１０は、鍵盤１１１と、コントロールパネル１１２と、鍵盤蓋１１３と、収納部１１４とを備えている。尚、図４の符号１１５は、本体部１１０の屋根部である。
【０００３】
このうち、コントロールパネル１１２は、鍵盤１１１の露出部分１１１ａの非演奏者側に配置され、操作部１１２ａが演奏者に対向するように立設されている。鍵盤蓋１１３は、このコントロールパネル１１２及び鍵盤１１１の両方を覆設可能な大きさに形成されている。収納部１１４は、コントロールパネル１１２の非演奏者側に形成されており、この収納部１１４を形成する演奏者側の側面部１１４ａであって、コントロールパネル１１２の上方に位置する部分には、鍵盤蓋１１３を挿抜可能な収納孔１１４ｂが形成されている。鍵盤蓋１１３は、この第１収納孔１１４ｂに通すことで、非演奏者側にスライドさせて収納部１１４内に収納することができる。
【特許文献１】特開２０００−１４８１４５号
【発明の開示】
【発明が解決しようとする課題】
【０００４】
しかし、従来の電子ピアノ１００では、コントロールパネル１１２が立設されており、その立設されたコントロールパネル１１２を鍵盤蓋１１３で覆って保護していたので、本体部１１０の全体の高さが高くなってしまうという問題があった。
【０００５】
また、従来の電子ピアノ１００では、鍵盤蓋１１３は、立設されたコントロールパネル１１２と鍵盤１１３とを覆う大きさに形成されていたので、鍵盤蓋１１３の幅（鍵盤の配列方向に垂直な方向の幅：図４中の矢印）も長くなってしまい、その結果、この鍵盤蓋１１３を収納する収納部１１４の奥行方向（演奏者側から非演奏者側に向かう方向）の幅が大きくなり、本体部１１０は、前述した高さだけでなく、奥行方向にも幅が大きくなってしまうという問題があった。
【０００６】
そこで本発明では、従来の電子鍵盤楽器よりも小型化された電子鍵盤楽器を提供することを目的とする。
【課題を解決するための手段】
【０００７】
上述した問題点を解決するためになされた請求項１に記載の発明は、鍵盤と、該鍵盤の露出部分を保護可能な鍵盤蓋と、前記鍵盤の露出部分の非演奏者側に配置され、演奏者側に操作部を対向させて配置可能なコントロールパネルと、該コントロールパネルの非演奏者側に設けられ、前記鍵盤を覆っている前記鍵盤蓋を非演奏者側にスライドさせて収納可能な収納部とを有する電子鍵盤楽器であって、前記コントロールパネルは、前記操作部が下方を向くように下端部を支点に演奏者側に倒すことができるよう構成され、該倒されたコントロールパネルを、前記収納部に収納し、あるいは、前記鍵盤と共に前記鍵盤蓋で覆設可能に構成されていることを特徴とする。
【０００８】
この請求項１記載の電子鍵盤楽器では、上述したようにコントロールパネルを倒すことができ、その倒れたコントロールパネルを収納部に収納するか、鍵盤と共に鍵盤蓋で覆設して保護可能なので、従来の電子鍵盤楽器のように、コントロールパネルを立てたまま鍵盤蓋で保護していた場合に比べ、全体の高さを低くすることができる。
【０００９】
また、本発明の電子鍵盤楽器では、少なくとも倒されたコントロールパネルと鍵盤蓋とを覆設可能な大きさに形成されていればよいので、従来の電子鍵盤楽器のように立設されたコントロールパネルを覆設可能なものよりも、鍵盤蓋の幅を短くすることができる。そのため、本発明の電子鍵盤楽器の収納部は、従来の電子鍵盤楽器の収納部のよりも、奥行方向の幅を小さく形成することができ、従って、全体の幅も小さくすることができる。
【００１０】
従って、本発明の電子鍵盤楽器は、従来の電子鍵盤楽器に比べ、高さが低く、奥行方向の幅も小さいので、従来の電子鍵盤楽器に比べ小型化することができる。
次に、請求項２に記載した電子鍵盤楽器のように、倒されたコントロールパネルを非演奏者側にスライドさせて収納部に収納可能に構成してもよい。また、請求項３記載の電子鍵盤楽器のように、収納部は、倒されたコントロールパネルを鍵盤蓋より上方で収納可能に構成してもよい。このように構成すれば、コントロールパネルだけ収納部から引き出して操作することが可能となり、例えば、コントロールパネルを用いて各種設定を行う場合、鍵盤蓋を閉じてその上にマニュアル本などを置き、そのマニュアル本などを見ながらコントロールパネルの各種操作を行う場合などに便利である。
【００１１】
次に、請求項４記載の電子鍵盤楽器のように、本発明の電子鍵盤楽器は、前記鍵盤、前記鍵盤蓋、前記コントロールパネル、及び、前記収納部を備える本体部と、該本体部を支える脚部とを有していてもよい。
【発明を実施するための最良の形態】
【００１２】
以下、本発明を実施するための最良の形態について図面を用いて説明する。
ここで図１は本実施形態の電子ピアノの正面図、図２はその背面図、図３は本実施形態の電子ピアノの構造を側面から概略的に示した側面図である。
【００１３】
図１及び図２に基づいて説明する。
図１に示すように、本実施形態の電子ピアノ１は、機能的に、本体部２と、脚部３とによって構成されている。
【００１４】
本体部２は、左右一対の側板４の上半部に支持され、両側板４の間から前方に突出するように設けられた棚板５と、各側板４の内側から前方に張り出し、棚板５の両側を挟むように設けられた左右一対の腕木６とによって外装が構成された部分である。
【００１５】
この本体部２の棚板５上には鍵盤７が設置されており、さらに鍵盤７の露出部分の非演奏者側には、コントロールパネル８が配置されている。そして、このコントロールパネル８の非演奏者側には、前面板１０が設けられている。
【００１６】
また、図２に示すように、側板４の非演奏者側の端部には、電子ピアノ１の裏面側全体を覆うように裏板９が取り付けられている。そしてこの裏板９と、前面板１０との間には、両者の間の空間を覆うように上屋根１１が取り付けられており、棚板５上に配置された電子基板などの内部装置（図示せず）を保護するよう構成されている。また、上屋根１１の上面前部には、譜面台１２が折たたみ自在に設けられている。
【００１７】
脚部３は、両側板４の下半部と、各側板４の下端に取り付けられたベース３１とによって構成されている。脚部３の前部は、前板３３で覆われ（図１参）、この前板３３と裏板９とで囲まれた空間には、スピーカなどの音響装置（図示せず）が内蔵されている。そしてこの脚部３の下部中央には３つのペダル４０が設けられている。
【００１８】
次に図３に基づいて説明する。
上記のように構成された本体部２のうち、棚板５、裏板９、前面板１０、及び、上屋根１１で囲まれた部分は、コントロールパネル８及び鍵盤蓋１５を収納可能な空間であり、以下収納部５０と呼ぶ。
【００１９】
この収納部５０内には、鍵盤蓋１５を載置可能な載置板２０を備えており、その載置板２０の演奏者側端部には、鍵盤蓋１５を送るローラ２１が設けられている。また、前面板１０には、スリット１３，１４が上下に形成されており、下方のスリット１３は、鍵盤蓋１５を収納部５０に対して挿抜可能に形成され、上方のスリット１４は、コントロールパネル８を収納部５０に対して挿抜可能に形成されている。
【００２０】
コントロールパネル８は、図３（ａ）に示すように、演奏者側及び非演奏者側の２つの部分８ａ，８ｂを連結した平板状に形成されていると共に、演奏者側の部分８ａが、図３（ｂ）に示すように、非演奏者側の部分８ｂの上方側に向かって折り曲げ可能に形成されている。そして、演奏者側の部分８ａの裏面には操作部８ｃが形成されている。
【００２１】
一方鍵盤蓋１５は、平面状に形成された一枚の板からなり、演奏者側の端部には、鍵盤７を覆う際に、鍵盤蓋１５が鍵盤７を押さないようにするための、押下防止片が形成されている。そしてこの鍵盤蓋１５は、鍵盤７の露出部分を保護可能な大きさに形成されている。
【００２２】
以上のように構成された電子ピアノ１では、収納部５０に収納された鍵盤蓋１５を、スリット１３を介して演奏者側にスライドさせて引き出すと、鍵盤７を上方から覆設して鍵盤７を保護する（図３（ａ））。一方、鍵盤７を覆設している鍵盤蓋１５を非演奏者側にスライドさせて押すと、載置板２０上に載置された状態で収納部５０に収納される（図３（ｂ））。
【００２３】
収納部５０に収納されたコントロールパネル８を、収納部５０から引き出し、演奏者側の部分８ａを上方に折り曲げると、操作部８ｃが演奏者側を向き、演奏者が操作可能な状態になる（図３（ｂ））。一方、演奏者側の部分８ａが上方に折り曲がったコントロールパネル８を、演奏者側の部分８ａと非演奏者側の部分８ｂとが平板状になるように元にもどし、非演奏者側にスライドさると、スリット１４を介して収納部５０に収納される（図３（ａ））。
【００２４】
従って、本実施形態の電子ピアノ１を使用する場合は、図３（ｂ）に示すように、鍵盤蓋１５を非演奏者側にスライドさせて収納部５０内に収納し、コントロールパネル８を収納部５０内から引き出して折り曲げ、演奏者側部分の下側に設けられた操作部８ｃを演奏者側に向ければよい。すると、コントロールパネル８及び鍵盤７を操作可能となる。
【００２５】
一方本実施形態の電子ピアノ１を使用しない場合は、図３（ａ）に示すように、鍵盤蓋１５を演奏者側にスライドさせて収納部５０から引き出す一方で、コントロールパネル８を収納部５０内に収納すればよい。すると、鍵盤７とコントロールパネル８は、それぞれ鍵盤蓋１５と収納部５０に保護される。
【００２６】
以上説明した電子ピアノ１では以下のような作用・効果がある。
本実施形態の電子ピアノ１では、操作部８ｃが下方を向くようにコントロールパネル８の演奏者側８ａを、非演奏者側８ｂとの接続部である下端部を支点に演奏者側に折って倒すことができ、その倒れたコントロールパネル８を収納部５０に収納して保護可能なので、従来の電子ピアノのように、コントロールパネルを立てたまま鍵盤蓋で保護していた場合に比べ、全体の高さを低くすることができる。
【００２７】
また、本実施形態の電子ピアノの鍵盤蓋１５は、鍵盤７を覆設可能な大きさに形成されていればよいので、従来の電子ピアノ１のように立設されたコントロールパネルを覆設可能なものよりも、鍵盤蓋１５の幅を短くすることができる。そのため、本実施形態の電子ピアノ１の収納部５０は、従来の電子鍵盤楽器の収納部のよりも、奥行方向の幅を小さく形成することができ、従って、全体の幅も小さくすることができる。
【００２８】
従って、本実施形態の電子ピアノ１は、従来の電子ピアノに比べ、高さが低く、奥行方向の幅も小さいので、従来の電子ピアノに比べ小型化することができる。
尚、本発明の実施の形態は、上記実施形態に何ら限定されるものではなく、本発明の技術的範囲に属する限り種々の形態を採り得ることはいうまでもない。
【００２９】
本実施形態では、コントロールパネル８を収納部５０に収納したが、コントロールパネル８を、下端を支点に単に倒して、この倒されたコントロールパネル８と鍵盤７とを鍵盤蓋１５で覆設するよう構成してもよい。
【００３０】
また、本実施形態では、コントロールパネル８を収納部５０内に収納したため、鍵盤蓋１５は鍵盤７のみを覆設可能な大きさに形成したが、コントロールパネル８を収納部５０に収納しない場合は、少なくとも鍵盤７と倒した状態のコントロールパネル８とを覆設可能に形成されていれば、このように形成された電子ピアノであっても、従来の電子ピアノに比べ小型化することができる。
【図面の簡単な説明】
【００３１】
【図１】本実施形態の電子ピアノの正面図である。但し、鍵盤蓋は図示していない。
【図２】電子ピアノの背面図である。
【図３】電子ピアノの構造を側面から概略的に示した側面図である。
【図４】従来の電子ピアノの正面図である。
【符号の説明】
【００３２】
１…電子ピアノ、２…本体部、３…脚部、４…側板、５…棚板、６…腕木、７…鍵盤、８…コントロールパネル、９…裏板、１０…前面板、１１…上屋根、１２…譜面台、１３…スリット、１４…スリット、１５…鍵盤蓋、２０…載置板、２１…ローラ、３１…ベース、３３…前板、４０…ペダル、５０…収納部
【図１】
2005107106.tif 000003
【図２】
2005107106.tif 000004
【図３】
2005107106.tif 000005
【図４】
2005107106.tif 000006